【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
カバーを有するダッシュボードを備えた自動車における情報伝送のためのシステムであって、
知覚可能ジェスチャ領域内の動作を検出するように構成された少なくとも一つのジェスチャ認識センサを含むジェスチャ認識ユニットを備え、
前記少なくとも一つのジェスチャ認識センサは、前記カバーの下方に配置されており、
前記ジェスチャ認識ユニットは、第１ジェスチャを認識するように構成されており、
前記第１ジェスチャは、ダッシュボードディスプレイ上の所定位置を指し示すジェスチャとして規定されており、
前記ダッシュボードディスプレイは、前記自動車の電子システムの制御と相関付けられており、
前記ジェスチャ認識ユニットは、更に、前記第１ジェスチャを認識した後に第２ジェスチャを認識するように構成されており、
前記第２ジェスチャは、前記ジェスチャ認識ユニットを介して捕捉される指し示さないジェスチャとして規定されており、
前記第２ジェスチャは、前記電子システムのある特徴を制御する
ことを特徴とするシステム。
【請求項２】
前記自動車は、更に、ハンドルを含んでおり、
前記少なくとも一つのジェスチャ認識センサは、前記ハンドルの後方に配置されている
ことを特徴とする請求項１に記載のシステム。
【請求項３】
前記ジェスチャ認識ユニットは、イメージを生成し、前記知覚可能ジェスチャ領域内で実行されたジェスチャを検出するように構成されており、
前記知覚可能ジェスチャ領域は、前記ハンドルの周囲に加えて、前記ハンドルと前記ダッシュボードとの間にも広がっている
ことを特徴とする請求項２に記載のシステム。
【請求項４】
ジェスチャが検出される前記知覚可能ジェスチャ領域は、前記ハンドルの上縁を含む前記ハンドルの上部領域に広がっており、
前記知覚可能ジェスチャ領域は、１２０°の角度範囲にわたって広がっており、
前記角度範囲の境界の各々が、垂直方向から６０°偏差して方向づけられている
ことを特徴とする請求項３に記載のシステム。
【請求項５】
前記ジェスチャ認識ユニットは、前記ハンドルの上部領域内のジェスチャを、前記ハンドルの動作と区別するように構成されており、
前記ハンドルの位置の角度、及び、前記ハンドルの前記位置の角度の変化が、計算アルゴリズムに含まれている
ことを特徴とする請求項３に記載のシステム。
【請求項６】
前記自動車は、更に、ダッシュボードディスプレイ領域を含んでおり、
前記少なくとも一つのジェスチャ認識センサは、前記車両ドライバの視認方向において、前記ダッシュボードディスプレイ領域の高さに、かつ水平方向において前記ダッシュボードディスプレイ領域の中心に、前記ハンドルによって画定された平面と平行の平面内に配置されている
ことを特徴とする請求項２に記載のシステム。
【請求項７】
前記自動車は、更に、前記ダッシュボードディスプレイを有するダッシュボードディスプレイ領域と、当該自動車のフロントガラスの領域に配置された表示デバイスと、を含んでおり、
前記少なくとも一つのジェスチャ認識センサは、前記ダッシュボードディスプレイ領域内に配置されており、
前記ダッシュボードディスプレイ及び前記表示デバイスは、相互作用メニューを示すように構成されている
ことを特徴とする請求項１に記載のシステム。
【請求項８】
前記表示デバイスは、ヘッドアップディスプレイである
ことを特徴とする請求項７に記載のシステム。
【請求項９】
前記ジェスチャ認識ユニットは、前記ダッシュボードディスプレイまたは前記表示デバイスの方向における前記車両ドライバの動作によって起動されるように構成されており、
前記車両ドライバと前記ジェスチャ認識ユニットとの間の相互作用が、前記ダッシュボードディスプレイのメニュー及び前記表示デバイスのメニューの少なくとも一方に表示される
ことを特徴とする請求項７に記載のシステム。
【請求項１０】
前記ジェスチャ認識ユニットは、前記ジェスチャを深度記録するように設計された動き検出ハードウェアを備えており、前記ジェスチャが指し示している位置を決定するため、及び、前記ダッシュボードディスプレイ及び前記表示デバイスの一方における当該位置を示すために、前記ジェスチャが発生した方向及び角度を持つベクトルを生成する
ことを特徴とする請求項７に記載のシステム。
【請求項１１】
前記ジェスチャ認識ユニットは、少なくとも片方の手及び少なくとも一本の指のサイズ及び形状の少なくとも１つを検出し、前記検出したサイズ及び／または形状を当該システムに記憶されている値と比較し、前記検出したサイズ及び／または形状を当該システムに記憶されている個人のユーザプロフィールに関連付けるように構成されており、
前記ユーザプロフィールは、種々の機能のプリセットを含み、
前記機能は、プリセットに適応できるようになっている
ことを特徴とする請求項１に記載のシステム。
【請求項１２】
前記第２ジェスチャは、ハンドル上のタッピングとして規定されている
ことを特徴とする請求項２に記載のシステム。
【請求項１３】
前記第１ジェスチャは、第１の手で実行され、
前記第２ジェスチャは、第２の手で実行される
ことを特徴とする請求項１に記載のシステム。
【請求項１４】
前記第２ジェスチャは、第１位置から第２位置までのストローキングに対応しており、
前記ストローキングの量は、前記電子システムの前記特徴のある設定に相関される
ことを特徴とする請求項１３に記載のシステム。
【請求項１５】
前記電子システムは、インフォテインメントシステムであり、
前記設定は、当該インフォテインメントシステムの音量に関している
ことを特徴とする請求項１４に記載のシステム。
【請求項１６】
カバーを有するダッシュボードを備えた自動車における情報伝送のためのシステムであって、
知覚可能ジェスチャ領域内の動作を検出するように構成された少なくとも一つのジェスチャ認識センサを含むジェスチャ認識ユニットを備え、
前記少なくとも一つのジェスチャ認識センサは、前記カバーの下方に配置されており、
前記ジェスチャ認識ユニットは、更に、
少なくとも片方の手及び少なくとも一本の指のサイズ及び形状の少なくとも１つを当該少なくとも片方の手が物理的に前記自動車のハンドル上に位置している間に検出し、前記検出したサイズ及び／または形状を当該システムに記憶されている値と比較し、
前記検出したサイズ及び／または形状を当該システムに記憶されている個人のユーザプロフィールに関連付け、
前記関連付けられたユーザプロフィールに基づいて自動車システムに関連付けられたプリセットの少なくとも１つを適合する、
ように構成されている
ことを特徴とするシステム。
【請求項１７】
カバーを有するダッシュボードを備えた自動車における情報伝送のためのシステムであって、
知覚可能ジェスチャ領域内の動作を検出するように構成された少なくとも一つのジェスチャ認識センサを含むジェスチャ認識ユニットを備え、
前記少なくとも一つのジェスチャ認識センサは、前記カバーの下方に配置されており、
前記ジェスチャ認識ユニットは、ハンドル角度位置を認識するように構成されており、
前記ジェスチャ認識ユニットは、前記ハンドル角度位置が所定範囲内にある時に第１ジェスチャを認識するように構成されており、
前記第１ジェスチャは、ダッシュボードディスプレイ上の所定位置を指し示すジェスチャとして規定されており、
前記ダッシュボードディスプレイは、前記自動車の電子システムの制御と相関付けられている
ことを特徴とするシステム。
【請求項１８】
第１ジェスチャ及び前記第２ジェスチャは、手が前記ハンドルと物理的な当接状態にあることに応答して、捕捉される
ことを特徴とする請求項３に記載のシステム。
【請求項１９】
前記プリセットは、空調装置の設定、または、インフォテインメントの設定、の少なくとも一方である
ことを特徴とする請求項１６に記載のシステム。
【請求項２０】
前記プリセットは、ヘッドアップディスプレイに関連付けられている
ことを特徴とする請求項１６に記載のシステム。